(57)【要約】【課題】室内の全体的な空調と在室者各人を対象とした個別的な送風とを組み合わせることにより、在室者全員に一層の快適性を与えることができる空調システムを提供する。【解決手段】在室者の顔面等の身体部位の温度を検出する赤外線温度センサ２１と、各在室者に送風するためにそれぞれ設けられたファンユニット２０Ａ内のファン２４と、温度センサ２１による温度検出値を在室者の中立温感時顔面温度と比較し、両者の偏差に応じてファン２４の動作を制御すると共に室内空調機３０に対する設定温度の変更要求を生成するためのＡ／Ｄ変換器２２及びマイクロプロセッサ２３と、前記変更要求を室内空調機３０との間で送受信する無線送受信機２５，３１とを備え、室内空調機３０は、無線送受信機２５，３１を介して受信した前記変更要求を集約して設定温度を変更可能とした。【選択図】図１
2008157548.tif 000002
【特許請求の範囲】
【請求項１】
室内空調機により室内を全体的に空調する空調システムにおいて、
在室者の身体部位の温度を検出する温度検出手段と、
各在室者に送風するためにそれぞれ設けられた個別送風手段と、
前記温度検出手段による温度検出値を前記在室者が快適と感じる中立温感時温度と比較し、両者の偏差に応じて前記個別送風手段の動作を制御すると共に前記室内空調機に対する設定温度の変更要求を生成する制御手段と、
前記変更要求を前記室内空調機との間で送受信するための通信手段と、
を備え、
前記室内空調機は、前記通信手段を介して受信した前記変更要求を集約して前記設定温度を変更可能であることを特徴とする空調システム。
【請求項２】
請求項１に記載した空調システムにおいて、
前記制御手段は、前記偏差が前記個別送風手段の動作制御用の設定範囲を超えたときに前記変更要求を生成することを特徴とする空調システム。
【請求項３】
請求項１または２に記載した空調システムにおいて、
前記温度検出手段は、在室者の顔面温度を検出するセンサであることを特徴とする空調システム。
【請求項４】
請求項１または２に記載した空調システムにおいて、
前記温度検出手段は、在室者の指先温度を検出するセンサであることを特徴とする空調システム。
【請求項５】
請求項４に記載した空調システムにおいて、
前記センサは、在室者が使用する机上のコンピュータに付属する入力手段であることを特徴とする空調システム。
【請求項６】
請求項５に記載した空調システムにおいて、
前記センサは、前記コンピュータに接続された接触型温度計内蔵マウスであることを特徴とする空調システム。
【請求項７】
請求項１〜６の何れか１項に記載した空調システムにおいて、
前記制御手段は、前記偏差に応じて前記個別送風手段を間欠的に動作させることを特徴とする空調システム。
【請求項８】
請求項１〜６の何れか１項に記載した空調システムにおいて、
前記制御手段は、前記偏差に応じて前記個別送風手段を継続的に動作させることを特徴とする空調システム。
【請求項９】
請求項１〜８の何れか１項に記載した空調システムにおいて、
前記個別送風手段を、在室者が使用する机上のコンピュータに取り付けたことを特徴とする空調システム。
【請求項１０】
請求項１〜９の何れか１項に記載した空調システムにおいて、
前記個別送風手段は、在室者の首元付近に送風可能であることを特徴とする空調システム。
【発明の詳細な説明】
【技術分野】
【０００１】
本発明は、オフィス等の室内において、天井等に配置された室内空調機による全体的な空調と在室者に対する個別的な送風とを組み合わせた空調システムに関するものである。
【背景技術】
【０００２】
従来より、オフィス等の広い室内空間を対象とした空調システムとしては、室外機と、室内に分散配置される複数の室内機とからなる冷暖房空調システム（いわゆるビルマルチ空調システム）が知られている。
しかし、室内機の設置位置や日当たりの有無、ＯＡ機器の存在等に起因して、室内の温度分布を均一に保つことは一般に困難である。
また、仮に温度分布を均一化することが可能であったとしても、その時の空調設定温度がすべての在室者にとって必ずしも快適な温度であるとは限らず、温冷感には個人差がある。すなわち、快適とされる設定温度に維持されている空調空間においても、暑いと感じる人、快適である人、寒いと感じる人が混在する。
【０００３】
この種の空調システムにおいて、室内の温度分布の均一化を解決課題とする従来技術としては、後述する特許文献１や特許文献２に係る空調システムが知られている。
このうち、特許文献１に係る空調システムは、空調対象領域の暖房負荷の大小に応じて、空気熱源及び非空気熱源を用いた複合型空調機の室内機による空調と、空気熱源のみを用いた室内機による空調を行うようにしたものである。
また、特許文献２に係る空調システムは、各室内機の検出温度が目標温度に達するまでの目標到達時間がすべての室内機で同一になるように目標温度等を補正するものである。
【０００４】
一方、特許文献３には、車内の乗員に快適な個別空調を実現するようにした車両用空気調和装置が開示されている。
この空気調和装置は、乗員の顔面の特定部位（頬や額）の温度を非接触型の赤外線センサ等により検出して空調装置本体から吹き出す空気の風速、温度、方向等を制御するようにしたものである。
【０００５】
【特許文献１】特開平９−４２７１２号公報（段落［００２５］〜［００４２］、図１〜図３等）
【特許文献２】特開２００３−１７２５３７号公報（段落［００１３］〜［００１７］、図２〜図５等）
【特許文献３】特開２００４−３５９１３０号公報（段落［００１０］〜［００２１］、図１，図２等）
【発明の開示】
【発明が解決しようとする課題】
【０００６】
前述した特許文献１，２に係る従来技術では、基本的に室内温度を目標値に一致させる制御によって室内温度分布の均一化を図っている。
しかしながら、人間の温冷感は、温度以外にも湿度や輻射、対流、代謝量などによって大きく左右されるため、単に温度のみに着目した画一的な空調方法では、在室者各人にとってそれぞれ快適な空調環境を実現することはできないという問題があった。
特に、特許文献１に係る従来技術では空気熱源及び非空気熱源を備える必要があり、装置構成が複雑化したり大形化するという問題もある。
更に、特許文献３に係る従来技術は、いわゆるカーエアコンとして乗員を個別に空調するものであり、オフィス等の広い空間を対象とした空調システムにそのまま適用することは困難である。
【０００７】
そこで本発明の解決課題は、室内の全体的な空調と在室者各人に対する個別的な送風とを組み合わせ、必要に応じて全体的な空調の設定温度を調整可能にすることにより、在室者全員に一層の快適性を与えることができる構成簡単な空調システムを提供することにある。
【課題を解決するための手段】
【０００８】
上記課題を解決するため、請求項１に係る発明は、室内空調機により室内を全体的に空調する空調システムにおいて、
在室者の身体部位の温度を検出する温度検出手段と、
各在室者に送風するためにそれぞれ設けられた個別送風手段と、
前記温度検出手段による温度検出値を前記在室者が快適と感じる中立温感時温度と比較し、両者の偏差に応じて前記個別送風手段の動作を制御すると共に前記室内空調機に対する設定温度の変更要求を生成する制御手段と、
前記変更要求を前記室内空調機との間で送受信するための通信手段と、
を備え、
前記室内空調機は、前記通信手段を介して受信した前記変更要求を集約して前記設定温度を変更可能であることを特徴とする。
【０００９】
請求項２に係る発明は、請求項１に記載した空調システムにおいて、
前記制御手段は、前記偏差が前記個別送風手段の動作制御用の設定範囲を超えたときに前記変更要求を生成するものである。
【００１０】
請求項３に係る発明は、請求項１または２に記載した空調システムにおいて、
前記温度検出手段は、在室者の顔面温度を検出する赤外線温度センサ等のセンサであることを特徴とする。
【００１１】
請求項４に係る発明は、請求項１または２に記載した空調システムにおいて、
前記温度検出手段は、在室者の指先温度を検出するセンサであることを特徴とする。
【００１２】
請求項５に係る発明は、請求項４に記載した空調システムにおいて、
前記センサは、在室者が使用する机上のコンピュータに付属する入力手段であることを特徴とし、例えば、請求項６に記載するように、前記コンピュータに接続された接触型温度計内蔵マウスであることを特徴とする。
【００１３】
請求項７に係る発明は、請求項１〜６の何れか１項に係る空調システムにおいて、
前記制御手段は、前記偏差に応じて前記個別送風手段を間欠的に動作させるものである。
【００１４】
請求項８に係る発明は、請求項１〜６の何れか１項に係る空調システムにおいて、
前記制御手段は、前記偏差に応じて前記個別送風手段を継続的に動作させるものである。
【００１５】
請求項９に係る発明は、請求項１〜８の何れか１項に係る空調システムにおいて、
前記個別送風手段は、例えばクロスフローファンであり、このファンを在室者が使用する机上のコンピュータに取り付けることが望ましい。
また、請求項１０に記載するように、上記ファンによって在室者の首元付近に送風すれば、在室者の温冷感の改善に効果的である。
【発明の効果】
【００１６】
本発明によれば、室内空調機による室内全体の空調に加えて、在室者各人の温冷感に応じて個別的に送風するようにしたので、例えば室内空調機の冷房運転時には変動風や定常風が当たる各人の身体部位の温度を低下させ、その温度を中立温感時温度近傍に維持して快適感、冷涼感、爽快感を高めることができる。また、送風の効果により通常の冷房設定温度の緩和が可能になり、室内空調機の省エネルギー化、ランニングコストの低減を図ることができる。
【発明を実施するための最良の形態】
【００１７】
以下、図に沿って本発明の実施形態を説明する。
まず、図１は本発明の第１実施形態に係る空調システムの全体構成図である。この空調システムは、複数の人間が在室するオフィス等の空間を対象としており、例えば着席している各人に対応してそれぞれ設けられたファンユニット２０Ａ〜２０Ｊと、室内全体を空調する室内空調機３０と、前記ファンユニット２０Ａ〜２０Ｊに電源電圧をそれぞれ供給する電源１０とから構成されている。
【００１８】
なお、図１では、１０人の在室者（Ａさん〜Ｊさん）を対象として１０台のファンユニット２０Ａ〜２０Ｊを設ける例を示しているが、ファンユニットの数（空調対象となる在室者数）は任意の複数であればよい。
また、室内空調機３０に冷媒を供給する室外機やビルマルチ空調機全体の制御装置等については、図示を省略してある。
【００１９】
始めに、ファンユニット２０Ａ〜２０Ｊの構成について説明する。これらのファンユニット２０Ａ〜２０Ｊは何れも構成、機能が同一であるため、ここでは、Ａさんに対応して設けられたファンユニット２０Ａを例に挙げて説明する。
【００２０】
ファンユニット２０Ａは、Ａさんの机上において、後述するように例えばパソコンに取り付けて使用されるものであり、着席しているＡさんに向けて送風する機能を備えている。
ファンユニット２０Ａ内の２１は温度検出手段としての赤外線温度センサであり、着席しているＡさんの身体部位の温度、例えば顔面温度を検出するためのものである。人間の温冷感は鼻や耳の温度に基づいて推測できることを解明しているため、赤外線温度センサ２１は上記の部位を対象として顔面の鼻や耳部を中心とする温度を検出することが望ましい。
顔面温度の検出に当たっては、顔面の複数部位の温度を平均化したり、冷房時には複数部位の温度のうち最高温度を検出し、暖房時には最低温度を検出する等の方法が考えられる。
【００２１】
赤外線温度センサ２１から出力されるアナログ信号の温度データは、Ａ／Ｄ変換器２２によりディジタル信号に変換され、マイクロプロセッサ２３に入力されている。
マイクロプロセッサ２３には、Ａさんが快適と感じる時の顔面温度（中立温感時顔面温度）が予め入力されており、この中立温感時顔面温度は任意に（例えば３３℃に）設定可能となっている。すなわち、Ａさんが快適と感じる時の顔面温度を予め測定しておき、その温度を中立温感時顔面温度としてマイクロプロセッサ２３に設定入力しておくものである。この中立温感時顔面温度は、各人によって異なるのが一般的であるため、ファンユニット２０Ａ〜２０Ｊごとに設定され、それぞれマイクロプロセッサ２３に入力されている。
ここで、Ａ／Ｄ変換器２２及びマイクロプロセッサ２３は、請求項における制御手段を構成している。
【００２２】
マイクロプロセッサ２３では、中立温感時顔面温度とＡ／Ｄ変換器２２から入力された温度データとに基づいて、後述する制御フローにより、個別送風手段としてのファン２４を所定周期で間欠動作させ（以下、このときに発生する風を変動風という）、あるいは定常的に継続動作させる（以下、このときに発生する風を定常風という）ように制御を行う。また、マイクロプロセッサ２３は、ファン２４の動作制御だけではＡさんにとっての快適感が得られない場合に、室内空調機３０の設定温度を変更するための要求温度データを作成し、この要求温度データを無線送信機２５に送出する。
【００２３】
無線送信機２５は、マイクロプロセッサ２３から送られた要求温度データを室内空調機３０の無線受信機３１に向けて送信する。ここで、無線送信機２５及び無線受信機３１からなる無線通信手段には、例えばブルートゥース（登録商標）やZigBee（登録商標）等の近距離無線通信規格を用いることができる。
なお、ファンユニット２０Ａ〜２０Ｊと室内空調機３０との間の通信手段は、無線に限らず有線通信手段を用いても良い。
【００２４】
赤外線温度センサ２１、Ａ／Ｄ変換器２２、マイクロプロセッサ２３、ファン２４及び無線送信機２５の電源電圧は、前記電源１０から供給されている。電源１０としては、独立した電源（バッテリーやスイッチング電源等）を用いても良いし、各人が机上で使用しているパソコンのＵＳＢ端子から得た電源を用いても良い。
【００２５】
一方、室内空調機３０は、ビルマルチ空調機の天井設置型室内機である空調機本体３３及びその制御用のマイクロプロセッサ３２と、無線受信機３１とを備えている。
無線受信機３１は、ファンユニット２０Ａ〜２０Ｊの無線送信機２５から送られた各人の要求温度データを受信してマイクロプロセッサ３２に送出し、マイクロプロセッサ３２はこれらの要求温度データを集約して所定の設定温度データを作成する。
空調機本体３３は、上記の設定温度データに基づいて運転され、室内の温度が設定温度に一致するように全体的な空調を行うようになっている。
【００２６】
次に、図２及び図３は前記ファンユニット２０Ａの構成例を示す説明図であり、何れも机上に配置されたパソコンのディスプレイ６０の上部に取り付けるタイプとして構成されている。上記ディスプレイ６０としてはデスクトップパソコン用のディスプレイを想定しているが、ノートブックパソコンのディスプレイにファンユニット２０Ａを取り付けて使用しても良い。
【００２７】
図２に示すファンユニット２０Ａ１は、ケーシング２０１の内部にファン２４を備え、正面に形成された吹出口２０２から前方に送風するタイプのものである。詳述はしないが、ファン２４による送風角度や送風方向を可変にしてもよい。
前記ファン２４は、低騒音で平面的な気流を作りやすいクロスフローファン等から構成されており、Ａさんの首元付近に送風可能となっている。これは、首元付近へ送風することが人間の温冷感の改善に特に有効なためである。
【００２８】
吹出口２０２の側方には、電源のオン・オフ操作や風量の手動切替操作、及び前述した中立温感時顔面温度等の設定入力を行うための操作スイッチ部２０３が設けられていると共に、吹出口２０２の下方ほぼ中央部には、前記赤外線温度センサ２１が取り付けられている。赤外線温度センサ２１の取付位置は特に限定されず、ディスプレイ６０に対面する人間の顔面温度を検出可能な位置であれば良い。
【００２９】
ケーシング２０１には、ファン（駆動モータも含むものとする）２４以外にも、図１に示したＡ／Ｄ変換器２２、マイクロプロセッサ２３、無線送信機２５等が内蔵されている。
ファンユニット２０Ａ１はディスプレイ６０の上端部を挟み込むようにして取り付けられるが、その具体的な取付方法、固定方法は本発明の要旨ではないため、ここでは詳述を省略する。
【００３０】
一方、図３に示すファンユニット２０Ａ２は、ケーシング２０４の後部底面に吹出口２０５を形成し、この吹出口２０５からディスプレイ６０の背面及び下端部を回り込んで前方に送風するようにしたタイプのものである。なお、図２と同一の構成要素には同一の参照符号を付してある。
ここで、ファンユニットの構造、取付位置、取付方法は、図２，図３の例に何ら限定されず、ディスプレイ６０に対面する人間の顔面温度を検出して首元付近に送風可能なものであれば良い。
【００３１】
次いで、図４は本発明の第２実施形態に係る空調システムの全体構成図である。
この実施形態は、顔面と同様に人間の温冷感を推測する際に有効な指標となる指先の温度を検出してファンの動作を制御するようにした例である。
【００３２】
図４において、前記同様に各人に対応して設けられるファンユニット等の構成は何れも同一であるため、ここではファンユニット５０Ａ等の構成を説明する。
まず、この実施形態では、Ａさんの指先温度を検出するために、Ａさんの机上のパソコン４０Ａに接続された温度検出手段としての接触型温度計内蔵マウス５１が用いられる。Ａさんがマウス５１を操作することにより検出された指先温度は、パソコン４０Ａに入力され、温度データとしてファンユニット５０Ａ内のＡ／Ｄ変換器５２に入力される。
【００３３】
なお、指先温度を検出する温度検出手段としては、マウス以外にも、タブレット用の入力ペンや、トラックパッド、トラックボール、あるいはキーボード内の使用頻度の高いキー等の各種入力手段に温度検出機能を持たせても良い。
【００３４】
Ａ／Ｄ変換器５２以降の構成は第１実施形態と同様であり、マイクロプロセッサ５３により、中立温感時指先温度とＡ／Ｄ変換器５２から入力された温度データとに基づいてファン５４の動作が制御される。ここで、中立温感時指先温度とは、Ａさんが快適と感じる時の指先温度であり、中立温感時顔面温度と同様に、一般に各人によって異なる値であって個別に設定可能となっている。
【００３５】
マイクロプロセッサ５３は、ファン５４の動作制御だけではＡさんにとって所望の快適感が得られない場合に、室内空調機３０に対する要求温度データを作成して無線送信機５５に送出し、この要求温度データは室内空調機３０の無線受信機３１に送信される。
室内空調機３０は、前記同様にファンユニット５０Ａ〜５０Ｊに対応する各人の要求温度データを集約して所定の設定温度データを作成し、空調機本体３３を運転して室内温度が設定温度に一致するように室内全体の空調を行う。
なお、図４において、符号４０Ｂ，４０ＪはそれぞれＢさん、Ｊさんの机上のパソコンを示す。
【００３６】
この実施形態において、ファンユニット５０Ａ〜５０Ｊの各構成要素の電源電圧は、パソコン４０Ａ〜４０ＪのＵＳＢ端子から得た電源により供給することを想定しているが、独立した電源を用いることも勿論可能である。
本実施形態におけるファンユニット５０Ａ〜５０Ｊの構造は基本的に第１実施形態と同様であり、図２，図３に示した構成から赤外線温度センサ２１を除去したものに相当する。
【００３７】
図５，図６は上記各実施形態の作用を示す概念図であり、何れもＡさん，Ｂさんに対して前方吹出しタイプのファンユニット（図２参照）を用いて送風する様子を示している。なお、便宜上、机上のパソコン（パソコン本体）の図示を省略し、ディスプレイ６０のみを図示してある。
【００３８】
図５は、第１実施形態の作用を示すもので、ａ１，ｂ１はそれぞれＡさん，Ｂさんに対する顔面温度検出領域、ａ２，ｂ２はそれぞれファンユニット２０Ａ１による送風領域である。
ここでは、例えばＡさんが空調機本体３３によって空調されている室温（設定温度）を「暑い」と感じており、その顔面温度検出値が本人の中立温感時顔面温度よりも大幅に高いために、ファン２４の出力を増加させて定常風を発生させている。一方、Ｂさんは室温を「快適」と感じており、その顔面温度検出値が本人の中立温感時顔面温度の近傍にあるため、ファン２４からは変動風を発生させている。
【００３９】
更に、Ａさん側のファンユニット２０Ａ１内のマイクロプロセッサ２３が、ファン２４の送風によってもＡさんの顔面温度検出値が中立温感時顔面温度の近傍に収まらないと判定した場合には、空調機本体３３（室内空調機３０）に対して設定温度を低下させるような要求温度データを送信する。なお、「快適」と感じているＢさん側のファンユニット２０Ａ１からは、要求温度データは送信されない。
室内空調機３０内のマイクロプロセッサ３２は、Ａさん，Ｂさんを含む在室者全員からの要求温度データを集約し、例えば要求温度の平均値を算出して必要に応じ空調機本体３３の設定温度を変更することにより、理想的には在室者全員にとって快適な全体空調が行われるように制御するものである。
【００４０】
図６に示す第２実施形態の作用は、Ａさん，Ｂさんの指先温度を接触型温度計内蔵マウス５１により検出する点以外は基本的に第１実施形態と同様である。
なお、図６において、５０Ａ１は前方吹出しタイプのファンユニットであり、第１実施形態のファンユニット２０Ａ１から赤外線温度センサ２１を除外したものに相当する。
【００４１】
次に、室内空調機３０及び個別のファンユニット（例えば第１実施形態のファンユニット２０Ａや第２実施形態のファンユニット５０Ａ）を含む空調システム全体の動作を、図７を参照しつつ説明する。
図７において、ステップＳ１〜Ｓ４はビルマルチ空調を行う室内空調機３０の制御フローである。まず、室内空調機３０の設定温度をＴａ、遅延ループ（制御の繰り返し周期）をｍ分に予め設定し（Ｓ１）、次いで室温を検出する（Ｓ２）。この状態で、周知の制御動作により、室温が設定温度Ｔａに一致するように空調機本体３３の吹出口からの送風温度、風量等を制御する（Ｓ３）。これらの室温検出（Ｓ２）及び温度制御（Ｓ３）を前記遅延ループ（ｍ分）ごとに繰り返すことにより（Ｓ４）、室内の全体的な空調動作が実行される。
【００４２】
続いて、個別のファンユニットによる送風制御動作を説明する。ここでは、各人の顔面温度を検出して送風する場合について述べるが、指先温度を検出して送風する場合も基本的に同様である。
まず、各人が個別に中立温感時顔面温度Ｔｂを設定すると共に、単位温度幅β、遅延ループ（制御の繰り返し周期）ｎ分を設定する（Ｓ５）。上記の単位温度幅βは、顔面温度検出時と指先温度検出時とで異なっても良い。
【００４３】
次いで赤外線温度センサ２１により顔面温度を検出し、中立温感時顔面温度Ｔｂからの偏差Ｘが温度範囲（−３β＜Ｘ＜＋２β）内にあるか否かを判断する（Ｓ６）。この温度範囲の広狭により、室内空調機３０への設定温度変更要求の頻度（感度）が変化することになる。
偏差Ｘが温度範囲（−３β＜Ｘ＜＋２β）から外れている場合には（Ｓ６ ＮＯ）、個別にファン２４を運転して送風しても本人に快適感をもたらすことは困難と判断し、マイクロプロセッサ２３が要求温度データを作成して室内空調機３０に対する設定温度変更要求を行う（Ｓ１１Ａ）。
【００４４】
偏差Ｘが温度範囲（−３β＜Ｘ＜＋２β）内にある場合には（Ｓ６ ＹＥＳ）、更に偏差Ｘが−２βを超えているか否かを判断し（Ｓ７）、超えていない場合には、マイクロプロセッサ２３がファン２４の個別運転により本人に冷涼感を与える必要がないと判断してファン２４の運転を停止させる（Ｓ７ ＮＯ，Ｓ９）。
また、偏差Ｘが−２βを超えている場合には、マイクロプロセッサ２３がファン２４による個別の送風が必要であると判断し、ファン２４の間欠運転による変動風または継続運転による定常風を供給する（Ｓ７ ＹＥＳ，Ｓ８）。このようにファン２４によって変動風や定常風を首元に送ることにより、人体の皮膚表面の対流熱伝達率が上昇し、その時の室内空調機３０による設定温度のもとでその人の快適感、冷涼感、爽快感を高めることが可能である。
上記の動作（Ｓ６〜Ｓ９）を前記遅延ループ（ｎ分）ごとに繰り返すことにより（Ｓ１０）、各人ごとの個別のファンの動作制御、及び必要に応じた室内空調機３０に対する設定温度変更要求が実行される。
【００４５】
なお、図７におけるステップＳ５〜Ｓ１０，Ｓ１１ＡをＡさんに対応するファンユニット２０Ａの動作とすれば、他のＢさん〜Ｊさんについても同様の動作が実行され、前記ステップＳ１１Ａと同様に室内空調機３０に対する設定温度変更要求が発生する（Ｓ１１Ｂ〜Ｓ１１Ｊ）。
室内空調機３０内のマイクロプロセッサ３２では、すべてのファンユニット２０Ａ〜２０Ｊを一つのグループとして設定温度変更要求を集約し、必要に応じて室内空調機３０の設定温度Ｔａを変更する（Ｓ１２）。
ここで、設定温度Ｔａの変更（Ｓ１２）に当たっては、ファンユニット２０Ａ〜２０Ｊからの要求温度を単純平均したり、適宜検出した各人の在席時間の長短に応じて要求温度を加重平均する等の方法が考えられる。
【００４６】
図８は第１実施形態の作用を説明するための概念図であり、室内空調機３０により制御される室温と個人の顔面温度との関係をグラフとして示したものである。
なお、前述した図７における制御のデフォルト値は、Ｔａ＝２８℃，ｍ＝５分，Ｔｂ＝３３℃，β＝１℃，ｎ＝５分である。また、ファン２４の運転による変動風は、風速が０．５ｍ／ｓでオン・オフを１０秒ごとに繰り返すものとし、定常風の風速は０．５ｍ／ｓとする。
【００４７】
図８において、特性線ｃ１，ｃ２，ｃ３は、個別のファンユニットを用いずに室内空調機３０のみによる全体的な空調を行った場合のものであり、それぞれ安静時、活動量小、活動量大に対応する。ここで、活動量の大小は、例えば外出先から帰ってきて着席したばかりの状態（活動量大）、着席してある程度時間が経過した状態（活動量小）などを意味する。
一般的なビルマルチ空調のように個別のファンユニットを用いない場合には、安静時において一般的に快適と考えられる顔面温度の範囲（３２℃〜３４℃）が維持されるように、室内空調機３０により設定される温度範囲ΔＴ１を例えば２５℃〜２７℃に保つ必要がある。
【００４８】
これに対し、第１実施形態によれば、顔面温度検出値と中立温感時顔面温度Ｔｂとの偏差Ｘに応じてファン２４を動作させ、変動風または定常風を首元に送風するため、特性線ｃ１をｃ１’，ｃ１”のように室温が増加する方向に平行移動させた状態でも顔面温度を快適範囲に維持することができる。言い換えれば、室内空調機３０による室温の初期設定値を例えば２８℃とし、温度範囲ΔＴ２を２７℃〜２９℃に保つことによって図示するような目標設定範囲での運転を行うことができる。
これらの作用は、他の特性ｃ２，ｃ３についても同様であり、室内空調機３０による全体的な空調とファンユニットによる個別的な送風との併用により、室内空調機３０の負荷を減少させて省エネルギー化を図り、ランニングコストの低減に寄与することができる。
また、指先温度を検出する第２実施形態についても、同様の作用効果を得ることができる。
【００４９】
なお、上記の説明は冷房時を想定したものであり、暖房時には個別のファンユニットの運転を停止すると共に、室内空調機３０からの風向や風速を変化させて室内空気を攪拌させ、室内温度を均一化させるように制御することが望ましい。
【図面の簡単な説明】
【００５０】
【図１】本発明の第１実施形態に係る空調システムの全体構成図である。
【図２】第１実施形態におけるファンユニットの一例を示す説明図である。
【図３】第１実施形態におけるファンユニットの他の例を示す説明図である。
【図４】本発明の第２実施形態に係る空調システムの全体構成図である。
【図５】第１実施形態の作用を示す概念図である。
【図６】第２実施形態の作用を示す概念図である。
【図７】第１（第２）実施形態にかかる空調システム全体の動作を示すフローチャートである。
【図８】第１実施形態の作用を説明するための概念図である。
【符号の説明】
【００５１】
１０：電源
２０Ａ〜２０Ｊ，２０Ａ１，２０Ａ２，５０Ａ〜５０Ｊ：ファンユニット
２１：赤外線温度センサ
２２，５２：Ａ／Ｄ変換器
２３，３２，５３：マイクロプロセッサ
２４，５４：ファン
２５，５５：無線送信機
３０：室内空調機
３１：無線受信機
３３：空調機本体
４０Ａ，４０Ｂ，４０Ｊ：パソコン
５１：接触型温度計内蔵マウス
６０：ディスプレイ
２０１，２０４：ケーシング
２０２，２０５：吹出口
２０３：操作スイッチ部
【図１】
2008157548.tif 000003
【図２】
2008157548.tif 000004
【図３】
2008157548.tif 000005
【図４】
2008157548.tif 000006
【図５】
2008157548.tif 000007
【図６】
2008157548.tif 000008
【図７】
2008157548.tif 000009
【図８】
2008157548.tif 000010